(57)【要約】【課題】収納容器内奥側に形成された突起部に先端部が係止されて収納されているフィクスチャーにフィクスチャーマウントを係合させてボルト締めする際に、フィクスチャーが収納容器内で回転して先端部が収納容器内の突起部に強く当接して損傷することを防止するためのフィクスチャーマウント固定具を提供する。【解決手段】フィクスチャーマウント固定具を、中央にボルトを挿通させるボルト挿通用貫通穴１が穿設されている頂部２と頂部２から垂下された垂下部３とから構成させ、ボルト挿通用貫通穴１がフィクスチャーマウントＺの口腔内側の端部外面に設けられている正多角形状部Zaに係合する係合穴４を有するか及び／又は垂下部３がフィクスチャーマウントＺの外面の平面部に当接する係合面を有し、且つ収納容器Ｙを保持する台座に設けられた収納容器保持穴又は収納容器Ｙの側面の係合部に係止される係止部3b(3ba)を垂下部３に設けた構造とする。【選択図】図３
2010011882.tif 000002
【特許請求の範囲】
【請求項１】
セルフタッピングねじ(Xa)の先端に形成された切り刃部(Xaa)に沿って設けられた溝部(Xab)に収納容器(Ｙ)内奥側に形成された突起部(Ya)を当接させて該収納容器(Ｙ)内に回転不能に収納されるセルフタッピング式インプラントフィクスチャー(Ｘ)の口腔内側の内面に形成されている凹条溝(Xb)に、該フィクスチャー(Ｘ)の凹条溝(Xb)の奥部に形成されためねじ部へと繋がる貫通穴(Za)を有するフィクスチャーマウント(Ｚ)の先端を係合させ、該フィクスチャーマウント(Ｚ)の貫通穴(Za)を通して螺入するボルト(Ｂ)によって該フィクスチャーマウント(Ｚ)を該フィクスチャー(Ｘ)に固定する際に、該収納容器(Ｙ)に対して該フィクスチャーマウント(Ｚ)を回転不能状態に維持させるために装着されるフィクスチャーマウント固定具であって、
中央に該ボルト(Ｂ)を挿通させるボルト挿通用貫通穴(１)が穿設されている頂部(２)と該頂部(２)から収納容器(Ｙ)の側面に向けて垂下された垂下部(３)とから成り、該頂部(２)のボルト挿通用貫通穴(１)がフィクスチャーマウント(Ｚ)の口腔内側の端部外面に設けられている正多角形状部(Zb)に係合する係合穴(４)を有しているか及び／又は該垂下部(３)がフィクスチャーマウント(Ｚ)の側面に設けられている中心軸と平行な平面部(Zc)に当接する係合面(3a)を有していて、且つ該収納容器(Ｙ)を保持する台座(Ｓ)に設けられた収納容器保持穴(Sa)又は該収納容器(Ｙ)の側面に形成されている係合部(Yb)に係止される係止部(3b)が該垂下部(３)に設けられていることを特徴とするフィクスチャーマウント固定具。
【請求項２】
係止部(3b)が垂下部(３)の下端に略等間隔で下方に突設されている突部(3ba)である請求項１に記載のフィクスチャーマウント固定具。
【請求項３】
係止部(3b)が収納容器(Ｙ)の側面に設けられている中心軸と平行な平面である係合部(Yb)に当接する係止面(3bb)である請求項１に記載のフィクスチャーマウント固定具。
【発明の詳細な説明】
【技術分野】
【０００１】
本発明は、歯科用インプラント治療に用いられるフィクスチャーマウントに装着しフィクスチャーマウントを回転不能状態に維持させることによって、フィクスチャーマウントが係合されたセルフタッピング式インプラントフィクスチャー（以下、「フィクスチャー」と言う）を収納容器内で回転不能な状態にして、フィクスチャーマウントとフィクスチャーとをボルト締めする際にフィクスチャーが収納容器内で回転して損傷することを防止するためのフィクスチャーマウント固定具に関する。
【背景技術】
【０００２】
歯科用インプラント治療に使用されるフィクスチャーは実際に使用されるまで滅菌状態を保ったままの状態に収納する専用の収納容器に収納されている。
【０００３】
このように専用の収納容器に収納されたフィクスチャーは、欠損歯部の顎骨内に埋入させるための回転駆動力が伝達される埋入用インスツルメントをその口腔内側の穴に装着され、この埋入用インスツルメントを介して収納容器内から取り出される。この埋入用インスツルメントとしては、フィクスチャーの中心軸に沿って穿設され反口腔内側に向かって先端が閉ざされためねじ部が螺設されている穴の口腔側内面に形成された複数の凹条溝に係合される複数の係合用突起が先端部に形成されていて、このフィクスチャーの口腔側内面に形成された複数の凹条溝に先端部に形成されている複数の係合用突起を係合させることによってフィクスチャーへの回転駆動力の伝達が可能であると共に、フィクスチャーを保持することも可能にするものがある（例えば、特許文献１参照。）。
【０００４】
この埋入用インスツルメントのフィクスチャーの口腔内側の穴への係合は、その先端をフィクスチャーに穿設された穴の口腔内側に押し当てて、フィクスチャーの凹条溝と埋入用インスツルメントの係合用突起との位置が合致するまで埋入用インスツルメントを回転させた後に埋入用インスツルメントの係合用突起をフィクスチャーの凹条溝内に挿入させることによって行われる。その際に、埋入用インスツルメントの先端が押し当てられたフィクスチャーが一緒に回転すると埋入用インスツルメントをフィクスチャーに係合させることができないので、収納容器内の奥側に突起部を形成させ、この突起部にフィクスチャーの先端側のセルフタッピングねじに形成された切り刃部に沿って設けられた溝部を当接させて収納容器内でフィクスチャーを回転不能にさせているのである。
【０００５】
このような収納容器と埋入用インスツルメントとを利用すれば、フィクスチャーに直接触れることなく、埋入用インスツルメントを介してフィクスチャーを簡便に取り扱うことができるが、前記埋入用インスツルメントはフィクスチャーに係合されているだけであるため、外れ易いという問題がある。そこでその先端をフィクスチャーの口腔内側の端部に係合できるだけでなく、確実に固定できるものとして、フィクスチャーの係合部の奥部に形成されためねじ部へと繋がる貫通穴を通して螺入されたボルトによってフィクスチャーに固定することができるフィクスチャーマウントが使用されるようになってきた。
【０００６】
このフィクスチャーマウントをフィクスチャーに係合させるには、フィクスチャーマウントの先端をフィクスチャーに穿設された穴の口腔内側に押し当てて、フィクスチャーマウントの先端がフィクスチャーに穿設された穴に挿入できる状態となるまでフィクスチャーマウントを回転させて挿入係合させなければならないため、埋入用インスツルメントの場合と同様に収納容器内の奥側に突起部を形成させてフィクスチャーが回転しないようにする必要がある。
【０００７】
このように、奥側に突起部が形成されている収納容器と、貫通穴を有するフィクスチャーマウントとを使用すれば、フィクスチャーマウントとフィクスチャーとがボルトによって完全に一体化されてフィクスチャーがフィクスチャーマウントから脱落することがない状態でインプラント治療を行えるのである。
【０００８】
しかしながら、ボルトによってフィクスチャーマウントをフィクスチャーに固定する際に、ドライバー等でボルトを締めるためにフィクスチャーに必要以上に大きなトルクが加えられると、フィクスチャーマウントとフィクスチャーとが一体となって回転して、フィクスチャーの先端部が収納容器内奥側の突起部に強く当接してフィクスチャーの先端が損傷するという現象が発生するという問題がある。
このような現象は、フィクスチャーマウントを保持した状態でボルトを締め付ければ発生しないのであるが、フィクスチャーマウントは小さくて持ちにくいので、収納容器を持ってボルト締めすると、フィクスチャーとフィクスチャーマウントとが一緒に回転してフィクスチャーの先端が納容器内の奥側に突起部に強く当接して損傷するという現象が発生するのである。
【０００９】
【特許文献１】特開２００６−７５４２７号公報
【発明の開示】
【発明が解決しようとする課題】
【００１０】
本発明は前記の問題に鑑み、フィクスチャーマウントに装着しフィクスチャーマウントを回転不能状態に維持させることによって、フィクスチャーマウントが係合されたフィクスチャーを収納容器内で回転不能な状態にして、フィクスチャーマウントをフィクスチャーにボルト締めする際にフィクスチャーが収納容器内で回転して損傷することを防止するためのフィクスチャーマウント固定具を提供することを課題とする。
【課題を解決するための手段】
【００１１】
本発明者らは前記課題を解決すべく鋭意検討した結果、フィクスチャーが収納された収納容器に対してフィクスチャーマウントを回転不能状態に維持させるために装着されるフィクスチャーマウント固定具を、中央にボルトを挿通させるボルト挿通用貫通穴が穿設されている頂部と頂部から収納容器の側面に向けて垂下された垂下部とから構成させ、頂部のボルト挿通用貫通穴をフィクスチャーマウントの口腔内側の端部外面に設けられている正多角形状部に係合する係合穴を有しているか、及び／又は垂下部にフィクスチャーマウントの側面に設けられている中心軸と平行な平面部に当接する係合面を有している形状に形成すれば、フィクスチャーと係合させたフィクスチャーマウントにフィクスチャーマウント固定具を装着することによって、フィクスチャーとフィクスチャーマウントとフィクスチャーマウント固定具とが一体となり、更に収納容器を保持する台座に収納容器保持穴を設けるか又は収納容器の側面に形成されている係合部に係止される係止部を垂下部に設け、フィクスチャーマウント固定具を台座又は収納容器に固定させれば、フィクスチャーマウント固定具と一体となっているフィクスチャーマウント及びフィクスチャーも回転不能な状態となるから、この状態でフィクスチャーマウントとフィクスチャーとをボルトで固定すれば、ボルトを締め付ける際にフィクスチャーが収納容器内で回転してフィクスチャーの先端部が収納容器内奥側の突起部に強く当接して損傷する現象が発生することがないことを究明して本発明を完成したのである。
【００１２】
即ち本発明は、セルフタッピングねじの先端に形成された切り刃部に沿って設けられた溝部に収納容器内奥側に形成された突起部を当接させて収納容器内に回転不能に収納されるセルフタッピング式インプラントフィクスチャーの口腔内側の内面に形成されている凹条溝に、フィクスチャーの凹条溝の奥部に形成されためねじ部へと繋がる貫通穴を有するフィクスチャーマウントの先端を係合させ、フィクスチャーマウントの貫通穴を通して螺入するボルトによってフィクスチャーマウントをフィクスチャーに固定する際に、収納容器に対してフィクスチャーマウントを回転不能状態に維持させるために装着されるフィクスチャーマウント固定具であって、中央にボルトを挿通させるボルト挿通用貫通穴が穿設されている頂部とこの頂部から収納容器の側面に向けて垂下された垂下部とから成り、頂部のボルト挿通用貫通穴がフィクスチャーマウントの口腔内側の端部外面に設けられている正多角形状部に係合する係合穴を有しているか及び／又は垂下部がフィクスチャーマウントの側面に設けられている中心軸と平行な平面部に当接する係合面を有していて、且つ収納容器を保持する台座に設けられた収納容器保持穴又は収納容器の側面に形成されている係合部に係止される係止部が垂下部に設けられていることを特徴とするフィクスチャーマウント固定具である。
【００１３】
また垂下部に係止部が設けられている態様において、係止部が垂下部の下端に略等間隔で下方に突設されている突部であったり、係止部が収納容器の側面に設けられている中心軸と平行な平面である係合部に当接する係止面であれば、収納容器を保持する台座に設けられた収納容器保持穴や収納容器の側面に形成されている係合部にフィクスチャーマウント固定具を簡単に係止させることができて好ましいことも究明したのである。
【発明の効果】
【００１４】
本発明に係るフィクスチャーマウント固定具は、セルフタッピングねじの先端に形成された切り刃部に沿って設けられた溝部に収納容器内奥側に形成された突起部を当接させて収納容器内に回転不能に収納されるセルフタッピング式インプラントフィクスチャーの口腔内側の内面に形成されている凹条溝に、フィクスチャーの凹条溝の奥部に形成されためねじ部へと繋がる貫通穴を有するフィクスチャーマウントの先端を係合させ、フィクスチャーマウントの貫通穴を通して螺入するボルトによってフィクスチャーマウントをフィクスチャーに固定する際に、収納容器に対してフィクスチャーマウントを回転不能状態に維持させるために装着されるフィクスチャーマウント固定具であって、中央にボルトを挿通させるボルト挿通用貫通穴が穿設されている頂部とこの頂部から収納容器の側面に向けて垂下された垂下部とから成り、頂部のボルト挿通用貫通穴がフィクスチャーマウントの口腔内側の端部外面に設けられている正多角形状部に係合する係合穴を有しているか及び／又は垂下部がフィクスチャーマウントの側面に設けられている中心軸と平行な平面部に当接する係合面を有しているから、フィクスチャーと係合させたフィクスチャーマウントにフィクスチャーマウント固定具を装着することによって、フィクスチャーとフィクスチャーマウントとフィクスチャーマウント固定具とが一体となり、更に収納容器を保持する台座に設けられた収納容器保持穴又は収納容器の側面に形成されている係合部に係止される係止部が垂下部に設けられているから、フィクスチャーマウント固定具を台座又は収納容器に固定させることによって、フィクスチャーマウント固定具と一体となっているフィクスチャーマウント及びフィクスチャーも回転不能な状態となり、この状態でフィクスチャーマウントとフィクスチャーとをボルトで固定すれば、ボルトを締め付ける際にフィクスチャーが収納容器内で回転してフィクスチャーの先端部が収納容器内奥側の突起部に強く当接して損傷する現象が発生することがないのである。
【００１５】
また垂下部に係止部が設けられている態様において、係止部が垂下部の下端に略等間隔で下方に突設されている突部である場合や、係止部が収納容器の側面に設けられている中心軸と平行な平面である係合部に当接する係止面である場合には、収納容器を保持する台座に設けられた収納容器保持穴や収納容器の側面に形成されている係合部にフィクスチャーマウント固定具を簡単に係止させることができるのである。
【発明を実施するための最良の形態】
【００１６】
以下、図面を用いて本発明に係るフィクスチャーマウント固定用キャップについて詳細に説明する。
図１は本発明に係るフィクスチャーマウント固定具の一実施例を示す斜視図、図２は図１の正面図、図３は収納容器内のフィクスチャーに係合されたフィクスチャーマウントに図１のフィクスチャーマウント固定具が装着された状態を示す斜視図、図４は図３における収納容器が台座に保持され、フィクスチャーマウント固定具の垂下部に設けられている係止部が台座の収納容器保持穴に係止されている状態を示す斜視図、図５はセルフタッピング式インプラントフィクスチャーの一例を示す正面図、図６は図５の平面図、図７は図６のＡ−Ａ線断面図、図８は図３における収納容器を示す斜視図、図９は図８の収納容器の部分断面斜視図、図１０は図８の収納容器に図５のフィクスチャーを収納させた状態を示す斜視図、図１１は図１０のＢ−Ｂ線断面図、図１２は図１０における収納容器の部分断面正面図、図１３は図３におけるフィクスチャーマウントの一例を示す斜視図、図１４は図１０における収納容器内に収納されたフィクスチャーに図１３のフィクスチャーマウントを係合させた状態を示す斜視図、図１５は本発明に係るフィクスチャーマウント固定具の他の実施例を示す斜視図、図１６は図１５のフィクスチャーマウント固定具が係止される収納容器の一例を示す斜視図、図１７は図１５のフィクスチャーマウント固定具が図１３のフィクスチャーマウントに装着され、フィクスチャーマウント固定具の垂下部の下端に略等間隔で下方に突設されている突部が収納容器の側面に形成されている突起部間に係止されている状態を示す斜視図、図１８は本発明に係るフィクスチャーマウント固定具の更に他の実施例を示す斜視図、図１９は図１８のフィクスチャーマウント固定具が係止される収納容器の一例を示す斜視図、図２０は図１８のフィクスチャーマウント固定具が図１３のフィクスチャーマウントに装着され、フィクスチャーマウント固定具の垂下部に設けられている係止面が収納容器の側面に設けられている中心軸と平行な平面である係合部に係止されている状態を示す斜視図、図２１は本発明に係るフィクスチャーマウント固定具の更に他の実施例を示す斜視図、図２２は図２１のフィクスチャーマウント固定具の底面図、図２３は図２１のフィクスチャーマウント固定具に装着されるフィクスチャーマウントの一例を示す斜視図、図２４は図１０における収納容器内に収納されたフィクスチャーに係合させた図２３のフィクスチャーマウントに図２１のフィクスチャーマウント固定具が装着されている状態を示す斜視図、図２５はフィクスチャーマウントをフィクスチャーに固定する際に使用されるボルトの一例を示す正面図である。
【００１７】
図面中、ＸはセルフタッピングねじXaの先端に形成された切り刃部Xaaに沿って溝部Xabが設けられているセルフタッピング式インプラントフィクスチャーであり、その口腔内側の内面には凹条溝Xbが形成されている。このようなフィクスチャーＸとしては例えば図５〜図７の如き態様のものが使用でき、この態様では図６の如くフィクスチャーＸの口腔内側の内面には６つの凹条溝Xbが形成されていて、これらはアバットメントを係合させたりフィクスチャー埋入用の治具を係合させるために使用されるものであり、例えば後述する図１３のようなフィクスチャーマウントＺを装着する場合、これらの６つの凹条溝Xbうちの３つの凹条溝Xbに係合させて装着させる。
【００１８】
ＹはフィクスチャーＸが収納される収納容器であり、例えば図８のような収納容器Ｙが使用できる。この収納容器Ｙには図９の部分断面図の如く、収納容器Ｙ内の奥側に突起部Yaが形成されている。また図１０〜図１２の如くこの収納容器Ｙ内にフィクスチャーＸを収納させると、フィクスチャーＸのセルフタッピングねじXaの先端の溝部Xabが収納容器Ｙ内奥側に形成された突起部Yaに当接して、フィクスチャーＸが回転不能な状態で収納されるのである。
【００１９】
ＺはフィクスチャーＸの凹条溝Xbの奥部に形成されためねじ部へと繋がる貫通穴Zaを有するフィクスチャーマウントであり、その先端がフィクスチャーＸの凹条溝Xbに係合される。このようなフィクスチャーマウントＺとしては、図１３の如き態様のものが使用できる。この態様では先端側に３つの突条部が等間隔に形成されている。このフィクスチャーマウントＺとフィクスチャーＸとを係合させるには、このフィクスチャーマウントＺの先端を収納容器Ｙに収納されたフィクスチャーＸに穿設された穴の口腔内側に押し当てて、フィクスチャーマウントＺの先端側の３つの突条部がフィクスチャーＸの６つの凹条溝Xbのうち３つの凹条溝Xbに挿入できる状態となるまでフィクスチャーマウントＺを回転させた後に挿入させて図１４の如く係合させるのである。その際に、フィクスチャーマウントＺが押し当てられたフィクスチャーＸが収納容器Ｙ内で回転するとフィクスチャーマウントＺを係合させることができないため、収納容器Ｙ内の奥側にフィクスチャーＸの溝部Xabに当接させる突起部Yaが形成されているのである。
【００２０】
ＢはフィクスチャーマウントＺをフィクスチャーＸに固定する際にフィクスチャーマウントＺの貫通穴Zaを通して螺入する図２５に示すようなボルトであり、またＳは収納容器Ｙを保持する台座である。
【００２１】
次に本発明に係るフィクスチャーマウント固定具の構造について説明する。
１はボルトＢを挿通させるボルト挿通用貫通穴であり、２は中央にこのボルト挿通用貫通穴１が穿設されている頂部である。本発明に係るフィクスチャーマウント固定具は、フィクスチャーＸとフィクスチャーマウントＺとをボルトＢで固定する際に使用されるものであるから、ボルトＢを挿入したり、ドライバー等の工具を挿入したりするためのボルト挿通用貫通穴１が頂部２に形成されているのである。
【００２２】
３は頂部２から収納容器Ｙの側面に向けて垂下された垂下部である。本発明に係るフィクスチャーマウント固定具はこの垂下部３と前記のボルト挿通用貫通穴１が穿設されている頂部２とから構成されている。
【００２３】
４はフィクスチャーマウントＺの口腔内側の端部外面に設けられている正多角形状部Zbに係合させる係合穴である。本発明に係るフィクスチャーマウント固定具は、頂部２のボルト挿通用貫通穴１がフィクスチャーマウントＺの口腔内側の端部外面に設けられている正多角形状部Zbに係合する係合穴４を有しているか及び／又は垂下部３がフィクスチャーマウントＺの側面に設けられている中心軸と平行な平面部Zcに当接する係合面3aを有していて、フィクスチャーＸと係合させたフィクスチャーマウントＺに本発明に係るフィクスチャーマウント固定具を装着することによって、フィクスチャーＸとフィクスチャーマウントＺと本発明に係るフィクスチャーマウント固定具とを一体にすることができるのである。
【００２４】
本発明に係るフィクスチャーマウント固定具の実施例としては先ず図１及び図２に示すような形状のものがある。このフィクスチャーマウント固定具は頂部２の中央に穿設されたボルト挿通用貫通穴１がフィクスチャーマウントＺの口腔内側の端部外面に設けられている正多角形状部Zb（図３では正六角形状）に係合させる係合穴４となっている。
【００２５】
このフィクスチャーマウント固定具を実際に使用するには、先ず図１４の如く収納容器Ｙ内のフィクスチャーＸの口腔内側の内面に形成されている凹条溝XbにフィクスチャーマウントＺの先端側の突条部を係合させた状態で、フィクスチャーマウントＺの口腔内側の端部外面に設けられている正多角形状部Zb（図１４では正六角形状）にフィクスチャーマウント固定具の係合穴４を係合させて図３の如き状態にする。この図３の状態は、収納容器Ｙ内のフィクスチャーＸにフィクスチャーマウントＺが係合され、更にそのフィクスチャーマウントＺに本発明に係るフィクスチャーマウント固定具が係合されて、フィクスチャーＸとフィクスチャーマウントＺとフィクスチャーマウント固定具とが一体となっている。
【００２６】
次にこの図３の如き状態でフィクスチャーマウント固定具の下方に突設された３つの突部3baを図４に示すように台座Ｓに形成されている収納容器保持穴Saに形成されている３つの溝部にそれぞれ係止させる。これにより、フィクスチャーマウント固定具は台座Ｓに固定され回転不能な状態となり、更にこのフィクスチャーマウント固定具と一体となっているフィクスチャーマウントＺ及びフィクスチャーＸも回転不能となる。この状態で図２５の如きボルトＢをフィクスチャーマウントＺの貫通穴Zaを通してフィクスチャーＸに螺設されているめねじに螺入してフィクスチャーマウントＺをフィクスチャーＸに固定すれば、フィクスチャーマウントＺは回転できないのでフィクスチャーＸの溝部Xabが収納容器Ｙ内の奥側の突起部Yaに強く当接して、フィクスチャーＸが損傷するようなことがないのである。
【００２７】
本発明に係るフィクスチャーマウント固定具の他の実施例としては、図１５の如きフィクスチャーマウント固定具がある。このフィクスチャーマウント固定具も図１７の如くフィクスチャーマウントＺの口腔内側の端部外面に設けられている正多角形状部Zb（図１７では正六角形状）にフィクスチャーマウント固定具の係合穴４が係合される。
【００２８】
このフィクスチャーマウント固定具にも、垂下部３の下端に略等間隔で下方に突部3baが突設されているが、この突部3baは台座Ｓに係止させるものではなく、収納容器Ｙの側面に形成されている図１６の如き突条の係合部Ybをこの突部3ba，3ba間に嵌合させるようにして係止させるのである。このようにフィクスチャーマウント固定具を収納容器Ｙに回転不能な状態で係止させることによって、フィクスチャーマウント固定具と一体となっているフィクスチャーマウントＺ及びフィクスチャーＸが回転不能となるのである。そして図１７の如き状態の収納容器Ｙを手等で持ち、ボルトＢをフィクスチャーマウントＺの貫通穴Zaを通してフィクスチャーＸに螺設されているめねじに螺入してフィクスチャーマウントＺをフィクスチャーＸに固定するのである。
【００２９】
また本発明に係るフィクスチャーマウント固定具の更に他の実施例としては、図１８の如きフィクスチャーマウント固定具がある。このフィクスチャーマウント固定具も係合穴４を図２０の如くフィクスチャーマウントＺの口腔内側の端部外面に設けられている正多角形状部Zb（図２０では正六角形状）に係合させるのである。
【００３０】
このフィクスチャーマウント固定具も、台座Ｓに係止させるのではなく、収納容器Ｙに係止させるものである。このフィクスチャーマウント固定具では、図１８の如く垂下部３に設けられている係止部3bが収納容器Ｙの側面に設けられている中心軸と平行な平面である係合部Ybに当接する係止面3bbとして設けられている。即ち図１９の如く側面に中心軸と平行で対向する２つの平面である係合部Ybが設けられている収納容器Ｙを使用して、フィクスチャーマウント固定具にはこの平面を成す収納容器Ｙの係合部Yb，Ybにそれぞれ当接する２つの係止面3bb，3bbが設けられているのである。そして図２０の如き状態にフィクスチャーマウント固定具を装着した後に収納容器Ｙを手等で持ち、ボルトＢをフィクスチャーマウントＺの貫通穴Zaを通してフィクスチャーＸに螺設されているめねじに螺入すれば、フィクスチャーマウントＺをフィクスチャーＸに固定することができるのである。
【００３１】
本発明に係るフィクスチャーマウント固定具の更に他の実施例としては、図２１の如きフィクスチャーマウント固定具がある。このフィクスチャーマウント固定具は、フィクスチャーマウントＺの正多角形状部Zbと係合させるのではなく、図２２の如きフィクスチャーマウント固定具の内部に形成された係合面3aを、図２３の如きフィクスチャーマウントＺの外面に設けられている中心軸と平行な平面部Zbに当接させることによって係合させるのである。なお図２１，図２２及び図２４の頂部２の穴はボルトＢを挿入したり、ボルトＢを螺入する際に使用されるドライバー等を挿入するためのボルト挿通用貫通穴１である。
【００３２】
このフィクスチャーマウント固定具は台座Ｓに係止させるものであり、図２４の如き状態に装着されたフィクスチャーマウント固定具の３つの突部3baを、図４の実施例と同様に台座Ｓの収納容器保持穴Saに形成されている３つの溝部にそれぞれ係止させるのである。これにより、フィクスチャーマウント固定具は台座Ｓに固定され回転不能な状態となり、更にこのフィクスチャーマウント固定具と一体となっているフィクスチャーマウントＺ及びフィクスチャーＸも回転不能となる。この状態で図２５の如きボルトＢをフィクスチャーＸの係合穴４及びフィクスチャーマウントＺの貫通穴Zaを通して螺入してフィクスチャーＸに螺設されているめねじにフィクスチャーマウントＺをフィクスチャーＸに固定するのである。
【図面の簡単な説明】
【００３３】
【図１】本発明に係るフィクスチャーマウント固定具の一実施例を示す斜視図である。
【図２】図１の正面図である。
【図３】収納容器内のフィクスチャーに係合されたフィクスチャーマウントに図１のフィクスチャーマウント固定具が装着された状態を示す斜視図である。
【図４】図３における収納容器が台座に保持され、フィクスチャーマウント固定具の垂下部に設けられている係止部が台座の収納容器保持穴に係止されている状態を示す斜視図である。
【図５】セルフタッピング式インプラントフィクスチャーの一例を示す正面図である。
【図６】図５の平面図である。
【図７】図６のＡ−Ａ線断面図である。
【図８】図３における収納容器を示す斜視図である。
【図９】図８の収納容器の部分断面斜視図である。
【図１０】図８の収納容器に図５のフィクスチャーを収納させた状態を示す斜視図である。
【図１１】図１０のＢ−Ｂ線断面図である。
【図１２】図１０における収納容器の部分断面正面図である。
【図１３】図３におけるフィクスチャーマウントの一例を示す斜視図である。
【図１４】図１０における収納容器内に収納されたフィクスチャーに図１３のフィクスチャーマウントを係合させた状態を示す斜視図である。
【図１５】本発明に係るフィクスチャーマウント固定具の他の実施例を示す斜視図である。
【図１６】図１５のフィクスチャーマウント固定具が係止される収納容器を示す斜視図である。
【図１７】図１５のフィクスチャーマウント固定具が図１３のフィクスチャーマウントに装着され、フィクスチャーマウント固定具の垂下部の下端に略等間隔で下方に突設されている突部が収納容器の側面に形成されている突起部間に係止されている状態を示す斜視図である。
【図１８】本発明に係るフィクスチャーマウント固定具の更に他の実施例を示す斜視図である。
【図１９】図１８のフィクスチャーマウント固定具が係止される収納容器の一例を示す斜視図である。
【図２０】図１８のフィクスチャーマウント固定具が図１３のフィクスチャーマウントに装着され、フィクスチャーマウント固定具の垂下部に設けられている係止面が収納容器の側面に設けられている中心軸と平行な平面である係合部に係止されている状態を示す斜視図である。
【図２１】本発明に係るフィクスチャーマウント固定具の更に他の実施例を示す斜視図である。
【図２２】図２１のフィクスチャーマウント固定具の底面図である。
【図２３】図２１のフィクスチャーマウント固定具に装着されるフィクスチャーマウントの一例を示す斜視図である。
【図２４】図１０における収納容器内に収納されたフィクスチャーに係合させた図２１のフィクスチャーマウントに、図２１のフィクスチャーマウント固定具が装着されている状態を示す斜視図である。
【図２５】フィクスチャーマウントをフィクスチャーに固定する際に使用されるボルトの一例を示す正面図である。
【符号の説明】
【００３４】
１  ボルト挿通用貫通穴
２  頂部
３  垂下部
3a  係合面
3b  係止部
3ba  突部
3bb  係止面
４  係合穴
Ｘ  セルフタッピング式インプラントフィクスチャー
Xa  セルフタッピングねじ
Xaa  切り刃部
Xab  溝部
Xb  凹条溝
Ｚ  フィクスチャーマウント
Za  貫通穴
Zb  正多角形状部
Zc  平面部
Ｙ  収納容器
Ya  突起部
Yb  係合部
Ｂ  ボルト
Ｓ  台座
Sa  収納容器保持穴
【図１】
2010011882.tif 000003
【図２】
2010011882.tif 000004
【図３】
2010011882.tif 000005
【図４】
2010011882.tif 000006
【図５】
2010011882.tif 000007
【図６】
2010011882.tif 000008
【図７】
2010011882.tif 000009
【図８】
2010011882.tif 000010
【図９】
2010011882.tif 000011
【図１０】
2010011882.tif 000012
【図１１】
2010011882.tif 000013
【図１２】
2010011882.tif 000014
【図１３】
2010011882.tif 000015
【図１４】
2010011882.tif 000016
【図１５】
2010011882.tif 000017
【図１６】
2010011882.tif 000018
【図１７】
2010011882.tif 000019
【図１８】
2010011882.tif 000020
【図１９】
2010011882.tif 000021
【図２０】
2010011882.tif 000022
【図２１】
2010011882.tif 000023
【図２２】
2010011882.tif 000024
【図２３】
2010011882.tif 000025
【図２４】
2010011882.tif 000026
【図２５】
2010011882.tif 000027